(57)【要約】【課題】従来に比して一段と簡易かつ確実に所望する患部に貼付剤を貼り付けることができる貼付剤の貼付具及び貼付剤の貼り付け方法を提案する。【解決手段】貼付剤の貼り付けに使用する貼付具１において、貼付剤を一時的に保持する第１及び第２の板状部材２Ａ及び２Ｂと、第１及び第２の板状部材２Ａ及び２Ｂを接続する接続部材３とを備える。第１及び第２の板状部材２Ａ及び２Ｂには、それぞれ保持した貼付剤の保護フィルムを吸着する吸着部１４Ａ、１４Ｂが設けられている。接続部材３による第１及び第２の板状部材２Ａ及び２Ｂの接続が、第１及び第２の板状部材２Ａ及び２Ｂを積層可能に、第１の板状部材２Ａに対して第２の板状部材２Ｂを回動自在とした接続であり、かつ第１及び第２の板状部材２Ａ及び２Ｂの間隔を可変可能とした接続である。【選択図】図１
2015077350.tif 000002
【特許請求の範囲】
【請求項１】
貼付剤の貼り付けに使用する貼付具において、
前記貼付剤を一時的に保持する第１及び第２の板状部材と、
前記第１及び第２の板状部材を接続する接続部材とを備え、
前記第１及び第２の板状部材には、
前記貼付剤の保護フィルムを中央の部位で２つに切り離した状態で、前記貼付剤の薬剤面を外側にして２つ折りにより前記第１又は第２の板状部材の間に前記貼付剤を配置して前記第１及び第２の板状部材を積層した際に、前記貼付剤の保護フィルムに吸着する吸着部がそれぞれ設けられており、
前記接続部材による前記第１及び第２の板状部材の接続が、
前記第１及び第２の板状部材を積層可能に、前記第１の板状部材に対して前記第２の板状部材を回動自在とした接続であり、
かつ前記第１及び第２の板状部材の間隔を可変可能とした接続である
貼付剤の貼付具。
【請求項２】
前記接続部材は、
前記第１及び第２の板状部材の端面にスライド可能に挿入された板状の部材であって、前記第１及び第２の板状部材の積層に係る折り曲げ癖が設けられ、
前記貼付具は、
前記第１及び第２の板状部材への前記接続部材の挿入量の可変により、
前記折り曲げ癖の部位を前記第１及び第２の板状部材間に配置して、前記第１及び第２の板状部材を積層可能に、前記第１の板状部材に対して前記第２の板状部材を回動自在とし、
かつ前記第１及び第２の板状部材の間隔を可変可能とした
請求項１に記載の貼付剤の貼付具。
【請求項３】
前記第１及び第２の板状部材の少なくとも１つは、
前記貼付剤を配置する側の面とは逆側の面に、前記接続部材をスライドさせて前記接続部材の挿入量を可変する操作子が設けられた
請求項２に記載の貼付剤の貼付具。
【請求項４】
前記第１及び第２の板状部材の少なくとも１つには、
前記貼付剤の位置決め用の構成が設けられた
請求項１、請求項２、請求項３の何れかに記載の貼付剤の貼付具。
【請求項５】
前記第１及び第２の板状部材の少なくとも１つには、
前記接続部材が設けられている側とは逆側に、引き紐が設けられた
請求項１、請求項２、請求項３、請求項４の何れかに記載の貼付剤の貼付具。
【請求項６】
前記第１及び第２の板状部材の少なくとも１つには、
前記貼付剤を配置する側とは逆側の面に、マグネットが設けられた
請求項１、請求項２、請求項３、請求項４、請求項５の何れかに記載の貼付剤の貼付具。
【請求項７】
貼付剤の保護フィルムを吸着する吸着部をそれぞれ備えた第１及び第２の板状部材の間に、前記貼付剤の保護フィルムを中央の部位で２つに切り離した状態で、前記貼付剤の薬剤面を外側にして２つ折りにより配置して前記第１及び第２の板状部材を積層する第１の工程と、
前記第１及び第２の板状部材の積層を解除して並べて保持することにより、前記第１及び第２の板状部材の吸着部に吸着する前記貼付剤の保護フィルムを介して、局所的に薬剤面を露出させた状態で前記貼付剤を前記第１及び第２の板状部材に保持する第２の工程と、
前記薬剤面を患部に押し付けて前記第１及び第２の板状部材の間隔を広げることにより、前記貼付剤から保護フィルムを剥離して取り除く第３の工程とを備える
貼付剤の貼り付け方法。
【発明の詳細な説明】
【技術分野】
【０００１】
本発明は、貼付剤の貼付具及び貼付剤の貼り付け方法に関し、例えば湿布剤、ハップ剤等の、定型のシート形状による貼付剤の貼り付けに関する。
【背景技術】
【０００２】
従来、湿布剤、ハップ剤等の貼付剤は、定型（例えば１０ｃｍ×１４ｃｍ）のシート形状によるものが提供されている。このような貼付剤は、透明フィルム等による保護フィルムを剥離して薬剤面を露出させた後、患部に貼り付けて使用される。このような貼付剤の貼り付けに関して、特許文献１、２等には、背中等の患部に簡易に貼り付けることが可能な貼付剤の貼付具が提案されている。
【先行技術文献】
【特許文献】
【０００３】
【特許文献１】特開２０１３−１７６９８号公報
【特許文献２】実用新案登録第３１２４６８４号公報
【発明の概要】
【発明が解決しようとする課題】
【０００４】
このような貼付剤を従来に比して一段と簡易かつ確実に所望する患部に貼り付けることができれば、便利であると考えられる。
【０００５】
本発明は、これらの問題点を考慮してなされたもので、従来に比して一段と簡易かつ確実に所望する患部に貼付剤を貼り付けることができる貼付剤の貼付具及び貼付剤の貼り付け方法を提案することを目的とする。
【課題を解決するための手段】
【０００６】
本発明者らは、１対の板状部材の開閉により保護フィルムを剥離して貼り付け可能に貼付剤を保持した後、この貼付剤を患部に貼り付け、その後、この１対の板状部材を離間させて剥離フィルムを完全に除去するとの着想を得、本発明を完成するに至った。
【０００７】
（１）  貼付剤の貼り付けに使用する貼付具において、
前記貼付剤を一時的に保持する第１及び第２の板状部材と、
前記第１及び第２の板状部材を接続する接続部材とを備え、
前記第１及び第２の板状部材には、
前記貼付剤の保護フィルムを中央の部位で２つに切り離した状態で、前記貼付剤の薬剤面を外側にして２つ折りにより前記第１又は第２の板状部材の間に前記貼付剤を配置して前記第１及び第２の板状部材を積層した際に、前記貼付剤の保護フィルムに吸着する吸着部がそれぞれ設けられており、
前記接続部材による前記第１及び第２の板状部材の接続が、
前記第１及び第２の板状部材を積層可能に、前記第１の板状部材に対して前記第２の板状部材を回動自在とした接続であり、
かつ前記第１及び第２の板状部材の間隔を可変可能とした接続である。
【０００８】
（１）によれば、貼付剤の保護フィルムを中央の部位で２つに切り離した状態で、貼付剤の薬剤面を外側にして２つ折りにより第１又は第２の板状部材の間に配置して積層した後、この積層を解消することにより、第１及び第２の板状部材の吸着部により貼付剤の保護フィルムを部分的に剥離して貼付剤の薬剤面が部分的に露出した状態で、第１及び第２の板状部材に貼付剤を保持することができる。またその後、薬剤面を患部に押し付けて貼付剤を患部に貼り付けた後、第１及び第２の板状部材の間隔を広げることにより、貼付剤から保護フィルムを剥離して患部に貼付剤を配置することができる。
【０００９】
（２）  （１）において、
前記接続部材は、
前記第１及び第２の板状部材の端面にスライド可能に挿入された板状の部材であって、前記第１及び第２の板状部材の積層に係る折り曲げ癖が設けられ、
前記貼付具は、
前記第１及び第２の板状部材への前記接続部材の挿入量の可変により、
前記折り曲げ癖の部位を前記第１及び第２の板状部材間に配置して、前記第１及び第２の板状部材を積層可能に、前記第１の板状部材に対して前記第２の板状部材を回動自在とし、
かつ前記第１及び第２の板状部材の間隔を可変可能とした。
【００１０】
（２）によれば、折り曲げ癖をつけた板状部材により接続部材を構成できることにより、構成を簡略化することができる。
【００１１】
（３）  （２）において、
前記第１及び第２の板状部材の少なくとも１つは、
前記貼付剤を配置する側の面とは逆側の面に、前記接続部材をスライドさせて前記接続部材の挿入量を可変する操作子が設けられた。
【００１２】
（３）によれば、操作子の操作により接続部材を折り曲げ可能としたり、折り曲げ困難とすることができ、一段と使い勝手を向上することができる。
【００１３】
（４）  （１）、（２）、又は（３）において、
前記第１及び第２の板状部材の少なくとも１つには、
前記貼付剤の位置決め用の構成が設けられた。
【００１４】
（４）によれば、簡易かつ確実に貼付剤を配置することができ、一段と使い勝手を向上することができる。
【００１５】
（５）  （１）、（２）、（３）、又は（４）において、
前記第１及び第２の板状部材の少なくとも１つには、
前記接続部材が設けられている側とは逆側に、引き紐が設けられた。
【００１６】
（５）によれば、引き紐により第１及び第２の板状部材の間隔を広げることができることにより、体の固い人、極端に非力な人等においても、十分に操作することができる。また例えば背中等の手の届かない部位の患部についても、簡易かつ確実に貼付剤を貼り付けることができる。
【００１７】
（６）  （１）、（２）、（３）、（４）、又は（５）において、
前記第１及び第２の板状部材の少なくとも１つには、
前記貼付剤を配置する側とは逆側の面に、マグネットが設けられた。
【００１８】
（６）によれば、このマグネットにより冷蔵庫等の壁面に保持して貼付剤を貼り付けることができ、一段と使い勝手を向上することができる。
【００１９】
（７）  前記貼付剤の保護フィルムを吸着する吸着部をそれぞれ備えた第１及び第２の板状部材の間に、貼付剤の保護フィルムを中央の部位で２つに切り離した状態で、前記貼付剤の薬剤面を外側にして２つ折りにより配置して前記第１及び第２の板状部材を積層する第１の工程と、
前記第１及び第２の板状部材の積層を解除して並べて保持することにより、前記第１及び第２の板状部材の吸着部に吸着する前記貼付剤の保護フィルムを介して、局所的に薬剤面を露出させた状態で前記貼付剤を前記第１及び第２の板状部材に保持する第２の工程と、
前記薬剤面を患部に押し付けて前記第１及び第２の板状部材の間隔を広げることにより、前記貼付剤から保護フィルムを剥離して取り除く第３の工程とを備える。
【００２０】
（７）によれば、従来に比して一段と簡易かつ確実に所望する患部に貼付剤を貼り付けることができる貼付剤の貼付具を提案することができる。
【発明の効果】
【００２１】
本発明によれば、従来に比して一段と簡易に所望する患部に確実に貼付剤を貼り付けることができる。
【図面の簡単な説明】
【００２２】
【図１】本発明の第１実施形態に係る貼付剤の貼付具を示す斜視図である。
【図２】図１を反対側より見て示す斜視図である。
【図３】板状部材を離間させた状態を示す斜視図である。
【図４】積層状態を示す斜視図である。
【図５】操作子の説明に供する斜視図である。
【図６】貼付剤の説明に供する図である。
【図７】貼付剤の配置の説明に供する斜視図である。
【図８】積層状態を解除した状態を示す斜視図である。
【図９】患部への貼り付けの説明に供する図である。
【図１０】他の貼付剤の配置の説明に供する図である。
【発明を実施するための形態】
【００２３】
以下、本発明の実施形態について図面を参照しながら詳述する。
【００２４】
図１は、本発明の第１実施形態に係る貼付剤の貼付具１を、貼付剤を配置する側より見て示す斜視図である。また図２は、この貼付具１を図１とは逆側より見て示す斜視図である。この貼付具１は、略長方形形状による１対の板状部材２Ａ及び２Ｂが設けられる。ここでこの板状部材２Ａ及び２Ｂは、同一の大きさにより作成され、その短辺側の端面に設けられた接続部材３により接続されて一体に保持される。またこれら板状部材２Ａ及び２Ｂのうちの１方の板状部材２Ｂにあっては、接続部材３が配置されている側とは逆側の短辺側端部に引き紐４が設けられる。なお以下において、適宜、図１により見て取ることができる側を板状部材２Ａ及び２Ｂの内側面と呼び、図２により見て取ることができる側の面を板状部材２Ａ及び２Ｂの外側面と呼ぶ。
【００２５】
ここで板状部材２Ａ及び２Ｂは、それぞれ内側面側の板材と外側面側の板材とを積層一体化して作成される。これら内側面側の板材及び外側面側の板材の双方又は１方は、他方の板材と対向する側の面より突出する壁面が外縁に沿って形成され、これによりこの壁面の高さの分だけ空隙を有して内側面側の板材及び外側面側の板材が対向するように配置される。これにより板状部材２Ａ及び２Ｂは、中空形状により形成される。なお板状部材２Ａ及び２Ｂは、貼付剤の薬剤により侵されない樹脂材料により形成される。より具体的に、この実施形態において、板状部材２Ａ及び２Ｂは、ポリプロピレン樹脂により形成される。
【００２６】
板状部材２Ａ及び２Ｂは、内側面側の板材及び又は外側面側の板材の短辺側の壁面に凹部が設けられ、この凹部により接続部材３の配置に係る端面にスリットＳが形成される。接続部材３は、このスリットＳの幅による帯状の板材により形成され、長手方向の両端部が局所的にスリットＳの幅より幅広に作製される。また接続部材３は、容易には折り曲げ困難に充分な厚み（硬さ）により作成される。接続部材３は、貼付剤の薬剤により侵されない樹脂材料であって、板状部材２Ａ、２Ｂと同一の材料により形成され、これによりこの実施形態ではポリプロピレン樹脂により形成される。板状部材２Ａ及び２Ｂは、内側面側の板材又は外側面側の板材に設けられた凹部に接続部材３を配置した後、積層されて作成され、これにより接続部材３をスライドさせてスリットＳへの接続部材３の差し込み量を調整することにより、板状部材２Ａ及び２Ｂの間の間隔を調整できるように作成される。より具体的に、図１及び図２は、接続部材３を板状部材２Ａ及び２Ｂに十分に差し込んで板状部材２Ａ及び２Ｂを十分に接近させた場合であり、図３は、この図１との対比により、矢印Ｂにより示すように、引き出し困難となるまで板状部材２Ａ及び２Ｂから接続部材３を引き出し、板状部材２Ａ及び２Ｂを最も離間させた場合である。板状部材２Ａ及び２Ｂは、接続部材３の長手方向の両端部に作成された幅広の部位がストッパとして機能することにより、このように接続部材３をスライドさせて接続部材３の脱落を防止するように構成される。
【００２７】
さらに板状部材２Ａ及び２Ｂのうちで、引き紐４が設けられていない側の板状部材２Ａは、外側面（図２）のほぼ中央に、長辺に沿った方向に延長する開口６が形成される。接続部材３は、この板状部材２Ａに差し込まれた側の先端に、この開口６より突出するボタン形状による操作子７が設けられる。これにより貼付具１は、この操作子７により板状部材２Ａに対する接続部材３の差し込み量を種々に調整できるように構成される。
【００２８】
接続部材３は、図１において矢印Ａにより示すように、板状部材２Ｂに対して板状部材２Ａを回動させて、図４に示すように板状部材２Ａ及び２Ｂを積層できるように、折り曲げ癖３Ａ、３Ｂが設けられる。ここで折り曲げ癖３Ａ、３Ｂは、接続部材３を幅方向に横切る直線状の凹溝により形成される。接続部材３は、操作子７により板状部材２Ａに対して先端が突き当たるまで差し込んだ際に（図１の状態である）、この折り曲げ癖３Ａ、３Ｂが作成された部位が、板状部材２Ａの端部から露出するように配置される。これにより貼付具１は、板状部材２Ａ及び２Ｂを近接して保持した状態で、操作子７の操作により折り曲げ癖３Ａ、３Ｂを見て取ることができるように設定して、簡易な操作により板状部材２Ａ及び２Ｂを積層できるように構成される。また図１との対比により図５に示すように、操作子７の操作により板状部材２Ａへの接続部材３の差し込み量を低減することにより、折り曲げ癖３Ａ及び３Ｂが作成された部位を板状部材２Ｂに押し込んで、板状部材２Ａ及び２Ｂ間で折り曲げ癖３Ａ、３Ｂを見て取れないようにすることにより、板状部材２Ａ及び２Ｂ間で接続部材３が折れ曲がらないようにして、板状部材２Ａ及び２Ｂで内側面をほぼ平坦に維持できるように構成される。
【００２９】
図２に示すように、板状部材２Ａ及び２Ｂは、外側面の、接続部材３が設けられている側とは逆側端の厚みが、局所的に厚くなるように形成される。板状部材２Ａ及び２Ｂは、この厚みが厚くなった部位により操作部１０Ａ、１０Ｂが形成され、この操作部１０Ａ及び１０Ｂに指を引っ掛けて簡易な操作により板状部材２Ａ及び２Ｂの間隔を開くことができるように構成される。
【００３０】
ここでこの実施形態では、厚みの厚い板状の部材を貼り付けてこの操作部１０Ａ及び１０Ｂが設けられ、この板状の部材に、貼付剤の薬剤により侵されない樹脂材料であって、板状部材２Ａ及び２Ｂと同一の樹脂材であるポリプロピレン樹脂による発泡材が適用される。板状部材２Ｂは、引き紐４の端部が、この操作部１０Ｂを貼り付ける箇所に事前に貼り付けられた後、操作部１０Ｂに係る板材が貼り付けられる。ここで引き紐４は、貼付剤の薬剤により侵されない樹脂材料であって、可撓性を有する樹脂材料により作成される。また背中等の手が十分に届かない部位にこの貼付具１を保持した場合にあって、握力の低下した老人によっても、十分に把持して引っ張ることができるように、十分に幅広の帯形状であって、十分な長さにより作成される。より具体的に、シリコンゴムのシート材により作成される。
【００３１】
また板状部材２Ｂは、外側面の接続部材３側に、シート状のマグネット１１が配置され、このマグネット１１により、貼付具１を冷蔵庫の壁面等に一時的に貼り付けて保持できるように構成される。
【００３２】
さらに板状部材２Ａ及び２Ｂは、内側面の、操作部１０Ａ及び１０Ｂに対応する部位に、シート状のマグネット１２Ａ、１２Ｂが設けられ、これらマグネット１２Ａ、１２Ｂの磁力により、板状部材２Ａ及び２Ｂを積層した際（図４参照）に、板状部材２Ａに対して板状部材２Ｂを位置決めできるように構成される。
【００３３】
さらに板状部材２Ａ及び２Ｂは、マグネット１２Ａ、１２Ｂの接続部材３側に向かって、剥離フィルム１３Ａ、１３Ｂ、吸着部１４Ａ、１４Ｂが順次設けられる。ここで剥離フィルム１３Ａ、１３Ｂは、貼付剤の薬剤面が貼りつかないように、また貼付剤の薬剤面が貼り付いた場合には、容易に引きはがすことができ、さらに薬剤面の薬剤の付着を防止できるように、設けられる。剥離フィルム１３Ａ、１３Ｂは、この実施形態では、ポリエチレンテレフタラートによるフィルム材が適用され、接着剤、両面テープ等により板状部材２Ａ及び２Ｂに貼り付けて保持される。また後述する位置決め部材１６Ａ及び１６Ｂにより貼付剤を位置決めして板状部材２Ａ及び２Ｂを積層した際に、２つ折りにより配置した貼付剤の中央の部位より、剥離フィルム１３Ａ、１３Ｂのマグネット１２Ａ及び１２Ｂ側の端部がマグネット１２Ａ及び１２Ｂ側となるように設定され、これにより板状部材２Ａ及び２Ｂへの薬剤の付着を防止できるように構成さけられる。
【００３４】
吸着部１４Ａ、１４Ｂは、貼付剤の保護フィルムを吸着してこの保護フィルムを貼付剤の薬剤面から剥離する為に設けられる。このため貼付剤から保護フィルムを剥離する際には、貼付剤から保護フィルムを剥離するに十分な強度で保護フィルムに吸着し、また貼付剤の保護フィルムを剥離した後には、容易に吸着した保護フィルムを取り外すことができるように密着力が設定される。より具体的に、吸着部１４Ａ、１４Ｂは、いわゆる微粘着のシート材を板状部材２Ａ及び２Ｂに貼り付けて形成される。
【００３５】
ここで図６（Ａ）に示すように、貼付具１を使用する貼付剤２１Ａは、薬剤面が長手方向に左側領域、中央領域、右側領域に分割され、各領域にそれぞれ保護フィルム２２Ａ、２２Ｂ、２２Ｃが割り当てられたものがある。この種の貼付剤２１Ａは、保護フィルム２２Ａ及び２２Ｂの境界、保護フィルム２２Ｂ及び２２Ｃの境界が、大きく蛇行するように形成されている。この保護に係る境界の蛇行に対応するように、板状部材２Ａ及び２Ｂは、剥離フィルム１３Ａ及び吸着部１４Ａの境界、剥離フィルム１３Ｂ及び吸着部１４Ｂの境界が大きく蛇行するように作成され、これによりこの貼付具１を使用する際の誤使用を低減できるように構成される。
【００３６】
さらに板状部材２Ｂは、剥離フィルム１３Ｂのマグネット１２Ｂ側、両端部に、補助吸着部１５が配置される。ここで補助吸着部１５は、貼付剤の薬剤面の全面に一体に保護フィルムが貼り付けられている場合に、この貼付剤の端部に一時的に密着してこの貼付具１を使用可能とするために設けられる。この実施形態では、面ファスナーであるマジックテープ（登録商標）のオス側が貼り付けられて補助吸着部１５が形成され、この面ファスナーの突起により貼付剤に一時的に密着できるように構成される。なおこれにより実用上十分に貼付剤を保持できる場合には、吸着部１４Ａ、１４Ｂと同一の部材を適用してもよい。
【００３７】
さらに板状部材２Ｂは、接続部材３側に、貼付剤の位置決め用の構成である位置決め部材１６Ａ及び１６Ｂが位置される。ここでこの位置決め部材１６Ａ及び１６Ｂは、発泡ウレタン等による断面矩形形状による棒状の部材であり、板状部材２Ｂの内側面より突出するように、板状部材２Ｂの短辺に沿って配置される。板状部材２Ｂは、大きさの異なる貼付剤を使用する場合に、それぞれ端部を当接させて貼付剤を位置決めする目的で設けられる。
【００３８】
より具体的に、接続部材３により接続されている側より遠い側の位置決め部材１６Ａは、図６（Ａ）について上述した貼付剤２１Ａの位置決め用であり、この貼付剤２１Ａの薬剤面を外側にして２つ折りして重なり合う両端部を当接させて配置した場合に、この貼付剤２１Ａに係る保護フィルム２２Ａ及び２２Ｂの境界、保護フィルム２２Ｂ及び２２Ｃの境界が、板状部材２Ｂ側の吸着部１４Ｂと剥離フィルム１３Ｂの境界に重なり合い、またこの状態から接続部材３を折り曲げて板状部材２Ａ及び２Ｂを積層した場合に、貼付剤２１Ａに係る保護フィルム２２Ａ及び２２Ｂの境界、保護フィルム２２Ｂ及び２２Ｃの境界が、板状部材２Ａ側の吸着部１４Ａと剥離フィルム１３Ａの境界に重なり合うように設定される。
【００３９】
またこの位置決め部材１６Ａよりも接続部材３に近い側の位置決め部材１６Ｂは、図６（Ａ）との対比により図６（Ｂ）により示すように、長手方向の中央で保護フィルムを２つに分割して剥離する形式の貼付剤２１Ｂについての位置決め用であり、この貼付剤２１Ｂの薬剤面を外側にして２つ折りして重なり合う両端部を当接させて配置した場合に、この貼付剤２１Ｂに係る保護フィルム２２Ａ又は２２Ｂの、貼付剤２１Ｂの中央側部位が板状部材２Ｂ側の吸着部１４Ｂと重なり合い、またこの状態から板状部材２Ａ及び２Ｂを２つ折りにして積層した場合に、貼付剤２１Ｂに係る保護フィルム２２Ｂ又は２２Ａの、貼付剤２１Ｂの中央側部位が板状部材２Ａ側の吸着部１４Ａと重なり合うように設定される。
【００４０】
〔貼付具の使用方法〕
ここで貼付具１を使用する場合、事前に、操作子７を操作して板状部材２Ａの端部より折り曲げ癖３Ａ及び３Ｂを作成した部位が露出するように接続部材３を設定し、またこの折り曲げ癖３Ａ及び３Ｂにより板状部材２及び２Ｂを積層できるように（図４に示す状態である）板状部材２Ａ及び２Ｂの間隔が設定される（図１に示す状態である）。また図６（Ａ）に示すように、長手方向に薬剤面が左側領域、中央領域、右側領域に分割され、各領域にそれぞれ保護フィルム２２Ａ、２２Ｂ、２２Ｃが割り当てられた貼付剤２１Ａに貼付具１を使用する場合、始めのこの貼付剤２１Ａの中央領域の保護フィルム２２Ｂを剥離し、これにより貼付剤２２Ａの保護フィルムを中央の部位で長手方向の左右に分割する。
【００４１】
貼付具１を使用する場合、この保護フィルム２２Ｂを剥離してなる貼付剤２１Ａを、長手方向の中央の部位で薬剤面（保護フィルム側）を外側にして２つ折りした後、図７に示すように、このように２つ折りにより重なり合う長手方向の端部を位置決め部材１６Ａに当接させて位置決めし、その後、折り曲げ癖３Ａ及び３Ｂにより接続部材３を折り曲げることにより板状部材２Ｂに対して板状部材２Ａを回動させ、図４に示すように板状部材２Ａ及び２Ｂを積層する。この積層の際に、折り曲げ癖３Ａ及び３Ｂを設けたことにより、貼付具１は、簡易な操作により板状部材２Ａ及び２Ｂを積層することができる。またマグネット１２Ａ及び１２Ｂを設けたことにより、このマグネット１２Ａ及び１２Ｂの密着により板状部材２Ａ及び２Ｂの位置ずれを有効に回避して積層することができ、これにより貼付剤２１Ａの薬剤面が予定外の部位に張り付いたりすることを有効に回避することができる。また剥離フィルム１３Ａ及び１３Ｂにより、貼付剤２１Ａの薬剤の予測外の部位への付着等を有効に回避することができる。また位置決め部材１６Ａにより位置決めすることにより、簡易な操作により確実に貼付剤２１Ａを板状部材２Ａ及び２Ｂ間に配置することができる。
【００４２】
続いて接続部材３をまっすぐに伸ばし、板状部材２Ａ及び２Ｂの積層を解除する。このように一旦、板状部材２Ａ及び２Ｂを積層した後、この積層を解除した場合には、図８に示すように、吸着部１４Ａ及び１４Ｂにそれぞれ貼付剤２１Ａの保護フィルム２２Ａ及び２２Ｂを吸着して保護フィルム２２Ａ及び２２Ｂを部分的に引きはがし、貼付剤２１Ａの薬剤面を露出させた状態で、吸着部１４Ａ及び１４Ｂ、保護フィルム２２Ａ及び２２Ｂにより貼付剤２１Ａを板状部材２Ａ及び２Ｂ間に保持することができる。これにより貼付具１においては、貼付剤２１Ａを患部に貼り付けることが可能となる。
【００４３】
しかしながらこのように接続部材３をまっすぐに伸ばして単純に積層を解除した状態では、接続部材３の折り曲げ癖３Ａ及び３Ｂにより板状部材２Ａ及び２Ｂ間で接続部材３が折れ曲がり、患部に貼り付けることが却って難しくなる。そこでこの実施形態では、操作子７の操作により接続部材３をスライドさせることにより、板状部材２Ａ及び２Ｂ間に折り曲げ癖３Ａ及び３Ｂを作成した部位が位置しないようにする。これにより板状部材２Ａ及び２Ｂは、板状部材２Ａ、２Ｂの間で接続部材３が折れ曲がらないように設定されることにより、内側面がほぼ平坦となるよう保持され、患部への貼付剤２１Ａの貼り付け作業を簡略化することができる。
【００４４】
このようにして板状部材２Ａ、２Ｂの間で接続部材３の部位で折れ曲がらないようにして、図９に示すように、貼付剤２１Ａが人体側となるように保持して患部の部位に持来した後、貼付剤２１Ａを患部に貼り付ける。その後、板状部材２Ａの操作部１０Ａに指を引っ掛けて、引き紐４を引っ張ることにより、又は他方の板状部材２Ｂの操作部１０Ｂに指をかけ引っ張ることにより、板状部材２Ａ及び２Ｂを離間させ、これにより薬剤面より保護フィルム２２Ａ、２２Ｃを完全に引きはがす。これにより貼付剤２１Ａの患部への貼り付けが完了する。この場合、患部に手が届かないような場合でも、貼付剤２１Ａを板状部材２Ａ及び２Ｂに保持してこれら板状部材２Ａ及び２Ｂ間で接続部材３が折れ曲がらないように保持されていることにより、簡易かつ確実に所望の患部に貼付剤２１Ａを貼り付けることができる。
【００４５】
ところでこのように板状部材２Ａ及び２Ｂ間で接続部材３が折れ曲がらないようにして板状部材２Ａ及び２Ｂに貼付剤２１Ａを保持した場合にあっても、例えば極端に体が固い場合、片手の自由が効かない場合等にあっては、所望する患部に貼付剤２１Ａを貼り付けることが困難になる。このような場合、板状部材２Ａ及び２Ｂに貼付剤２１Ａを配置した状態で（図８に示す状態である）、例えば冷蔵庫、スチールデスク、スチール棚等の鉄材による家具、家電製品に、マグネット１１により板状部材２Ａ及び２Ｂを貼り付けて保持するようにし、この板状部材２Ａ及び２Ｂに保持されてなる貼付剤に背中等の患部を押し付けて板状部材２Ａ及び２Ｂを離間させることにより、貼付剤２１Ａを貼り付けることができる。
【００４６】
これに対して図６（Ｂ）により示す長手方向の中央で保護フィルムを２つに分割して剥離する形式の貼付剤２１Ｂについては、始めに貼付剤２１Ｂを長手方向の両端側に引き伸ばし、これにより中央に設けられた分割線２４により保護フィルムを分割する。その結果、この貼付剤２１Ｂは、保護フィルムが中央より左右の保護フィルム２２Ａ及び２２Ｃに分割されることになる。
【００４７】
このようにして貼付剤２１Ａの場合と同様に、操作子７を操作して板状部材２Ａ及び２Ｂ間で接続部材３を折り曲げ可能に設定した後、位置決め部材１６Ａに代えて位置決め部材１６Ｂを基準にして貼付剤２１Ｂを板状部材２Ｂに配置した後、板状部材２Ａ及び２Ｂを積層する。またその後、板状部材２Ａ及び２Ｂの積層を解除し、操作子７の操作により板状部材２Ａ及び２Ｂ間で接続部材３を折り曲げ困難に設定する。これらにより板状部材２Ａ及び２Ｂに貼付剤２１Ｂを配置する。その後、貼付剤２１Ａの場合と同様に患部に貼付剤２１Ｂを貼り付ける。
【００４８】
これに対して貼付剤にあっては、このように保護フィルムを長手方向の左右に分割することになく、薬剤面に貼り付けられた一枚の保護フィルムを剥離して使用するもののある。図１０に示すように、このような貼付剤２１Ｃについては、長手方向、一方の端部で、保護フィルム２２を部分的に剥離し、この保護フィルム２２を剥離してなる側の基材（薬剤を塗布した布材である）を補助吸着部１５に押し付け、これにより補助吸着部１５により貼付剤２１Ｃの長手方向の一端を保持する。なおこのようにして補助吸着部１５に貼付剤２１Ｃを配置する際に、事前に、操作子７の操作により板状部材２Ａ及び２Ｂ間で接続部材３が折れ曲がらないようにする。
【００４９】
続いて保護フィルム２２の端部を板状部材２Ａ側に折り返して吸着部１４Ａに吸着させ、これにより保護フィルム２２を一部剥離した状態で、板状部材２Ａ及び２Ｂに貼付剤２１Ｃを配置する。これにより貼付剤２１Ｃを板状部材２Ａ及び２Ｂに配置して保持する。その後、貼付剤２１Ａ、２１Ｂの場合と同様にして患部に貼付剤２１Ｃを貼り付ける。
【００５０】
以上の構成によれば、第１及び第２の板状部材、接続部材とを備えるようにし、この第１及び第２の板状部材にそれぞれ吸着部を設けるようし、さらに接続部材による第１及び第２の板状部材の接続が、第１及び第２の板状部材を積層可能に、第１の板状部材に対して第２の板状部材を回動自在とした接続であり、かつ第１及び第２の板状部材の間隔を可変可能とした接続であることにより、従来に比して一段と簡易かつ確実に所望する患部に貼付剤を貼り付けることができる。
【００５１】
すなわち貼付剤の保護フィルムを中央の部位で２つに切り離した状態で、貼付剤の薬剤面を外側にして２つ折りにより第１又は第２の板状部材の間に貼付剤を配置して積層した後、第１及び第２の板状部材の積層を解消することにより、第１及び第２の板状部材の吸着部により貼付剤の保護フィルムを部分的に剥離して貼付剤の薬剤面が部分的に露出した状態で、第１及び第２の板状部材に貼付剤を保持し、その後、第１及び第２の板状部材と共に薬剤面を患部に押し付けた後、第１及び第２の板状部材の間隔を広げることにより、貼付剤から保護フィルムを剥離して取り除くことにより、従来に比して一段と簡易かつ確実に所望する患部に貼付剤を貼り付けることができる。
【００５２】
また板状部材への接続部材の挿入量の可変により、折り曲げ癖の部位を第１及び第２の板状部材間に配置して、第１の板状部材に対して第２の板状部材を回動自在とし、かつ第１及び第２の板状部材の間隔を可変可能とすることにより、簡易な構成により簡易かつ確実に所望する患部に貼付剤を貼り付けることができる。
【００５３】
また第１の板状部材に、接続部材をスライドさせる操作子を設けることにより、簡易な操作により接続部材を折り曲げ可能としたり、折り曲げ困難とすることができ、一段と使い勝手を向上することができる。
【００５４】
また第２の板状部材に、貼付剤の位置決め用の構成を設けることにより、この位置決め用の構成を利用して確実に貼付剤を位置決め配置することができる。
【００５５】
また第２の板状部材に、引き紐を設けることにより、この引き紐を利用して簡易に第１及び第２の板状部材の間隔を広げることができ、その結果、使い勝手を向上することができる。
【００５６】
また第２の板状部材に、貼付剤を配置する側とは逆側の面にマグネットを設けることにより、このマグネットを利用して例えば冷蔵庫等に貼り付けて貼付剤を貼り付けることができ、一段と使い勝手を向上することができる。
【００５７】
〔他の実施形態〕
以上、本発明の実施に好適な具体的な構成を詳述したが、本発明は、本発明の趣旨を逸脱しない範囲で、上述の実施形態の構成を種々に変更することができる。
【００５８】
すなわち上述の実施形態では、第２の板状部材である板状部材２Ｂ側にのみ、位置決め部材を設ける場合について述べたが、本発明はこれに限らず、第１の板状部材２Ａ側に設けるようにしても良く、双方に設けるようにしてもよい。また実用上十分な場合には、位置決めの構成を省略してもよい。
【００５９】
また上述の実施形態では、第２の板状部材である板状部材２Ｂ側にのみ、引き紐を設ける場合について述べたが、本発明はこれに限らず、第１の板状部材２Ａ側に設けるようにしても良く、双方に設けるようにしてもよい。また必要に応じて引き紐を省略してもよい。
【００６０】
また上述の実施形態では、第２の板状部材である板状部材２Ｂ側にのみ、マグネット１１を設ける場合について述べたが、本発明はこれに限らず、第１の板状部材２Ａ側に設けるようにしても良く、双方に設けるようにしてもよい。
【００６１】
また上述の実施形態では、第２の板状部材である板状部材２Ｂ側にのみ、補助吸着部１５を設ける場合について述べたが、本発明はこれに限らず、第１の板状部材２Ａ側に設けるようにしても良く、双方に設けるようにしてもよい。
【００６２】
また上述の実施形態では、折り曲げ癖のついた板状の部材を接続部材に適用して板状部材を接続する場合について述べたが、本発明はこれに限らず、要は、板状部材を積層可能に、さらには間隔を調整可能に接続し、さらには必要に応じて板状部材が回動しないように接続すれば良く、種々の構成を広く適用することができる。
【００６３】
また上述の実施形態では、補助吸着部、冷蔵庫等に貼り付けるためのマグネット等を設ける場合について述べたが、本発明はこれに限らず、実用上十分な場合には、これらの構成を省略してもよい。
【００６４】
また上述の実施形態では、断面矩形形状による棒状部材による位置決め部材を配置して板状部材に貼付剤の位置決め用の構成を設ける場合について述べたが、本発明はこれに限らず、例えば板状部材に線図等を設けて位置決め用の構成としてもよく、貼付剤の位置決めには種々の構成を広く適用することができる。
【符号の説明】
【００６５】
１  貼付具
２Ａ、２Ｂ  板状部材
３  接続部材
３Ａ、３Ｂ  折り曲げ癖
４  引き紐
６  開口
７  操作子
１０Ａ、１０Ｂ  操作部
１１、１２Ａ、１２Ｂ  マグネット
１３Ａ、１３Ｂ  剥離フィルム
１４Ａ、１４Ｂ  吸着部
１５  補助吸着部
１６Ａ、１６Ｂ  位置決め部材
２１Ａ、２１Ｂ、２１Ｃ  貼付剤
２２、２２Ａ、２２Ｂ、２２Ｃ  保護フィルム
２４  分割線
【図１】
2015077350.tif 000003
【図２】
2015077350.tif 000004
【図３】
2015077350.tif 000005
【図４】
2015077350.tif 000006
【図５】
2015077350.tif 000007
【図６】
2015077350.tif 000008
【図７】
2015077350.tif 000009
【図８】
2015077350.tif 000010
【図９】
2015077350.tif 000011
【図１０】
2015077350.tif 000012